(57)【要約】【課題】ケーシングの底フレームに据付脚が装着された構造を有する空気調和装置の室外ユニットにおいて、ネジ止めやカシメ、溶接による固定箇所を削減又は削除するとともに、風荷重等に対する耐力を向上させる。【解決手段】底フレーム（５２）は、底フレーム平面部（５２ａ）と、底フレーム垂直部（５２ｂ、５２ｃ）とを有する。据付脚（５９、６０）は、据付脚本体（７１、８１）と、脚前方及び後方垂直部（７２ｂ、８２ｂ、７３ｂ、８３ｂ）と、脚前方及び後方上被部（７２ｃ、８２ｃ、７３ｃ、８３ｃ）とを有する。据付脚（５９、６０）は、据付脚本体（７１、８１）の前後方向の中央付近が底フレーム（５２）に向かって突出するように曲がった形状に成形されており、据付脚本体（７１、８１）の曲がり形状を解消することで、脚前方及び後方上被部（７２ｃ、８２ｃ、７３ｃ、８３ｃ）を上から被せて、底フレーム（５２）に係止される。【選択図】図６
2014219166.tif 000002
【特許請求の範囲】
【請求項１】
部品が載置される底フレーム（５２）を有するケーシング（５１）と、
前記底フレームに装着される据付脚（５９、６０）とを備えており、
前記底フレームは、水平面に略平行な底フレーム平面部（５２ａ）と、前記底フレーム平面部の前部から略垂直に立ち上がる底フレーム前方垂直部（５２ｂ）と、前記底フレーム平面部の後部から略垂直に立ち上がる底フレーム後方垂直部（５２ｃ）とを有しており、
前記据付脚は、前記ケーシングの前後方向に延びるように配置される据付脚本体（７１、８１）と、前記据付脚本体の前部から略垂直に立ち上がる脚前方垂直部（７２ｂ、８２ｂ）と、前記脚前方垂直部から後方に向かって延びる脚前方上被部（７２ｃ、８２ｃ）と、前記据付脚本体の後部から略垂直に立ち上がる脚後方垂直部（７３ｂ、８３ｂ）と、前記脚後方垂直部から前方に向かって延びる脚後方上被部（７３ｃ、８３ｃ）とを有しており、前記底フレームに装着される前の状態において前記据付脚本体の前後方向の中央付近が前記底フレームに向かって突出するように曲がった形状になるように成形されており、前記据付脚に荷重を作用させて前記据付脚本体の前記底フレームに向かって突出するように曲がった形状を解消することによって、前記底フレーム前方垂直部の前方に前記脚前方垂直部を近接させるとともに前記脚前方上被部を上から被せ、かつ、前記底フレーム後方垂直部に前記脚後方垂直部を近接させるとともに前記脚後方上被部を上から被せて、前記底フレームに係止されている、
空気調和装置の室外ユニット（２）。
【請求項２】
前記底フレーム（５２）に前記部品を載置することによって、前記底フレーム平面部（５２ａ）を介して前記据付脚（５９、６０）に荷重を作用させる、
請求項１に記載の空気調和装置の室外ユニット（２）。
【請求項３】
前記底フレーム前方垂直部（５２ｂ）の前記脚前方垂直部（７２ｂ、８２ｂ）が近接する部分は、前記底フレーム前方垂直部の前記脚前方垂直部が近接する部分の左右方向両側の部分よりも後方に凹んでおり、
前記底フレーム後方垂直部（５２ｃ）の前記脚後方垂直部（７３ｂ、８３ｂ）が近接する部分は、前記底フレーム後方垂直部の前記脚後方垂直部が近接する部分の左右方向両側の部分よりも前方に凹んでいる、
請求項１又は２に記載の空気調和装置の室外ユニット（２）。
【発明の詳細な説明】
【技術分野】
【０００１】
本発明は、空気調和装置の室外ユニット、特に、ケーシングの底フレームに据付脚が装着された構造を有する空気調和装置の室外ユニットに関する。
【背景技術】
【０００２】
従来より、特許文献１、２、３（特開２０１０−７１５１７号公報、特開平１１−３３７１１７号公報、特開２００４−１４４３１２号公報）に示すように、ケーシングの底フレームに据付脚が装着された構造を有する空気調和装置の室外ユニットがある。据付脚は、ネジ止めやカシメ、溶接によって底フレームに固定されている。
【発明の概要】
【発明が解決しようとする課題】
【０００３】
ネジ止めやカシメ、溶接だけで底フレームに据付脚を装着すると、固定箇所が多くなり工数がかかり、また、固定箇所を多くしなければ、室外ユニットの風荷重等に対する耐力が不十分になるおそれがある。
【０００４】
本発明の課題は、ケーシングの底フレームに据付脚が装着された構造を有する空気調和装置の室外ユニットにおいて、ネジ止めやカシメ、溶接による固定箇所を削減又は削除するとともに、風荷重等に対する耐力を向上させることにある。
【課題を解決するための手段】
【０００５】
第１の観点にかかる空気調和装置の室外ユニットは、部品が載置される底フレームを有するケーシングと、底フレームに装着される据付脚とを含んでいる。ここで、底フレームは、水平面に略平行な底フレーム平面部と、底フレーム平面部の前部から略垂直に立ち上がる底フレーム前方垂直部と、底フレーム平面部の後部から略垂直に立ち上がる底フレーム後方垂直部とを有している。また、据付脚は、ケーシングの前後方向に延びるように配置される据付脚本体と、据付脚本体の前部から略垂直に立ち上がる脚前方垂直部と、脚前方垂直部から後方に向かって延びる脚前方上被部と、据付脚本体の後部から略垂直に立ち上がる脚後方垂直部と、脚後方垂直部から前方に向かって延びる脚後方上被部とを有している。そして、据付脚は、底フレームに装着される前の状態において据付脚本体の前後方向の中央付近が底フレームに向かって突出するように曲がった形状になるように成形されており、据付脚に荷重を作用させて据付脚本体の底フレームに向かって突出するように曲がった形状を解消することによって、底フレーム前方垂直部の前方に脚前方垂直部を近接させるとともに脚前方上被部を上から被せ、かつ、底フレーム後方垂直部に脚後方垂直部を近接させるとともに脚後方上被部を上から被せて、底フレームに係止されている。
【０００６】
ここでは、据付脚に荷重を作用させて据付脚本体の底フレームに向かって突出するように曲がった形状を解消することによって、据付脚を底フレームに装着することができる。しかも、据付脚は、脚前方上被部及び脚後方上被部が底フレームの上から被せた状態で装着されるため、底フレームへの固定を強固なものにすることができる。
【０００７】
これにより、ここでは、据付脚を底フレームに装着する際のネジ止めやカシメ、溶接による固定箇所を削減又は削除するとともに、室外ユニットの風荷重等に対する耐力を向上させることができる。
【０００８】
第２の観点にかかる空気調和装置の室外ユニットは、第１の観点にかかる空気調和装置の室外ユニットにおいて、底フレームに部品を載置することによって、底フレーム平面部を介して据付脚に荷重を作用させる。
【０００９】
ここでは、底フレームに部品を載置することによって、据付脚本体の底フレームに向かって突出するように曲がった形状を解消して、据付脚を底フレームに装着することができる。
【００１０】
これにより、ここでは、室外ユニットの組み立て時の底フレームに部品を載置する作業を利用して、据付脚を底フレームに装着することができる。
【００１１】
第３の観点にかかる空気調和装置の室外ユニットは、第１又は第２の観点にかかる空気調和装置の室外ユニットにおいて、底フレーム前方垂直部の脚前方垂直部が近接する部分が、底フレーム前方垂直部の脚前方垂直部が近接する部分の左右方向両側の部分よりも後方に凹んでおり、底フレーム後方垂直部の脚後方垂直部が近接する部分が、底フレーム後方垂直部の脚後方垂直部が近接する部分の左右方向両側の部分よりも前方に凹んでいる。
【００１２】
ここでは、底フレーム前方及び後方垂直部に形成された凹みを利用して、据付脚の装着位置を位置決めすることができる。
【００１３】
これにより、ここでは、据付脚を底フレームに装着する際の作業性を向上させることができる。
【発明の効果】
【００１４】
以上の説明に述べたように、本発明によれば、以下の効果が得られる。
【００１５】
第１の観点にかかる空気調和装置の室外ユニットでは、据付脚を底フレームに装着する際のネジ止めやカシメ、溶接による固定箇所を削減又は削除するとともに、風荷重等に対する耐力を向上させることができる。
【００１６】
第２の観点にかかる空気調和装置の室外ユニットでは、組み立て時の底フレームに部品を載置する作業を利用して、据付脚を底フレームに装着することができる。
【００１７】
第３の観点にかかる空気調和装置の室外ユニットでは、据付脚を底フレームに装着する際の作業性を向上させることができる。
【図面の簡単な説明】
【００１８】
【図１】本発明の一実施形態にかかる室外ユニットが採用された空気調和装置の概略構成図である。
【図２】本発明の一実施形態にかかる室外ユニットの外観を示す斜視図である。
【図３】本発明の一実施形態にかかる室外ユニットの天板を取り外した状態を示す平面図である。
【図４】据付脚が装着された状態の底フレームを示す斜視図である。
【図５】据付脚（据付脚本体の底フレームに向かって突出するように曲がった形状が解消された状態）を示す斜視図である。
【図６】底フレームに据付脚を装着する様子（据付脚本体の底フレームに向かって突出するように曲がった形状が解消される前の状態）を示す側面断面図である。
【図７】底フレームに据付脚を装着する様子（据付脚本体の底フレームに向かって突出するように曲がった形状が解消された後の状態）を示す側面断面図である。
【発明を実施するための形態】
【００１９】
以下、本発明にかかる空気調和装置の室外ユニットの実施形態について、図面に基づいて説明する。尚、本発明にかかる空気調和装置の室外ユニットの具体的な構成は、下記の実施形態に限られるものではなく、発明の要旨を逸脱しない範囲で変更可能である。
【００２０】
（１）空気調和装置の全体構成
図１は、本発明の一実施形態にかかる室外ユニット２が採用された空気調和装置１の概略構成図である。
【００２１】
空気調和装置１は、蒸気圧縮式の冷凍サイクル運転を行うことによって、ビル等の屋内の空調に使用される装置である。空気調和装置１は、主として、室外ユニット２と、室内ユニット４とが接続されることによって構成されている。ここで、室外ユニット２と室内ユニット４とは、液冷媒連絡管５及びガス冷媒連絡管６を介して接続されている。すなわち、空気調和装置１の蒸気圧縮式の冷媒回路１０は、室外ユニット２と、室内ユニット４とが冷媒連絡管５、６を介して接続されることによって構成されている。
【００２２】
室内ユニット４は、室内に設置されており、冷媒回路１０の一部を構成している。この室内ユニット４は、主として、室内熱交換器４１を有している。
【００２３】
室内熱交換器４１は、冷房運転時には冷媒の蒸発器として機能して室内空気を冷却し、暖房運転時には冷媒の放熱器として機能して室内空気を加熱する熱交換器である。室内熱交換器４１の液側は液冷媒連絡管５に接続されており、室内熱交換器４１のガス側はガス冷媒連絡管６に接続されている。
【００２４】
室内ユニット４には、室内熱交換器４１に室内空気を送るための室内ファン４２が設けられている。室内ファン４２は、室内ファン用モータ４３によって駆動される。
【００２５】
室外ユニット２は、室外に設置されており、冷媒回路１０の一部を構成している。室外ユニット２は、主として、圧縮機２１と、四路切換弁２２と、室外熱交換器２３と、膨張弁２６と、液側閉鎖弁２７と、ガス側閉鎖弁２８とを有している。圧縮機２１の吸入口と四路切換弁２２とは、吸入管３１によって接続されている。圧縮機２１の吐出口と四路切換弁２２とは、吐出管３２によって接続されている。四路切換弁２２と室外熱交換器２３のガス側とは、第１ガス冷媒管３３によって接続されている。室外熱交換器２３の液側と液冷媒連絡管５とは、液冷媒管３５に接続されている。そして、膨張弁２６は、液冷媒管３０に設けられている。四路切換弁２２とガス冷媒連絡管６とは、第２ガス冷媒管３４によって接続されている。
【００２６】
圧縮機２１は、吸入管３１から冷凍サイクルにおける低圧のガス冷媒を吸入し、圧縮して冷凍サイクルにおける高圧のガス冷媒とした後に、吐出管３２に吐出する圧縮機である。
【００２７】
四路切換弁２２は、冷房運転と暖房運転との切換時に、冷媒回路１０内における冷媒の流れの方向を切り換えるための弁である。四路切換弁２２は、冷房運転時には、図１の実線で示されるように、吐出管３２と第１ガス冷媒管３３とを接続するとともに吸入管３１と第２ガス冷媒管３４とを接続し、暖房運転時には、図１の破線で示されるように、吐出管３２と第２ガス冷媒管３４とを接続するとともに吸入管３１と第１ガス冷媒管３３とを接続する機能を有する。
【００２８】
室外熱交換器２３は、冷房運転時には室外空気を冷却源とする冷媒の放熱器として機能し、暖房運転時には室外空気を加熱源とする冷媒の蒸発器として機能する熱交換器である。
【００２９】
膨張弁２６は、冷房運転時には室外熱交換器２３において放熱した冷媒を室内熱交換器４１に送る前に減圧し、暖房運転時には室内熱交換器４１において放熱した冷媒を室外熱交換器２３に送る前に減圧する電動膨張弁である。
【００３０】
液側閉鎖弁２７及びガス側閉鎖弁２８は、外部の機器・配管（具体的には、液冷媒連絡管５及びガス冷媒連絡管６）との接続口に設けられた弁である。液側閉鎖弁２７は、液冷媒管３５の端部に設けられている。ガス側閉鎖弁２７は、第２ガス冷媒管３４の端部に設けられている。
【００３１】
室外ユニット２には、室外熱交換器２３に室外空気を送るための室外ファン３６が設けられている。室外ファン３６は、室外ファン用モータ３７によって駆動される。
【００３２】
（２）室外ユニットの基本構成
次に、図２及び図３を用いて、本実施形態の室外ユニット２の構成について説明する。ここで、図２は、室外ユニット２の外観を示す斜視図である。図３は、室外ユニット２の天板５７を取り外した状態を示す平面図である。尚、以下の説明において、「上」、「下」、「左」、「右」や「前面」、「側面」、「背面」、「天面」、「底面」等の方向や面を示す文言は、特にことわりのない限り、ファン吹出グリル５５ｂ側の面を前面とした場合における方向や面を意味する。
【００３３】
室外ユニット２は、ユニットケーシング５１の内部が上下方向に延びる仕切板５８によって送風機室Ｓ１と機械室Ｓ２とに仕切られた構造（いわゆる、トランク型構造）を有するものである。室外ユニット２は、ユニットケーシング５１の背面及び側面の一部から室外空気を内部へと吸い込んだ後に、ユニットケーシング５１の前面から空気を排出するように構成されている。室外ユニット２は、主として、ユニットケーシング５１と、圧縮機２１、四路切換弁２２、室外熱交換器２３、膨張弁２６、閉鎖弁２７、２８、及び、これらの機器を接続する冷媒管３１〜３５を含む冷媒回路構成部品と、室外ファン３６及び室外ファン用モータ３７とを有している。尚、ここでは、送風機室Ｓ１がユニットケーシング５１の左側面寄りに形成され、機械室Ｓ２がユニットケーシング５１の右側面寄りに形成された例を説明するが、左右が逆であってもよい。
【００３４】
ユニットケーシング５１は、略直方体状に形成されており、主として、圧縮機２１、四路切換弁２２、室外熱交換器２３、膨張弁２６、閉鎖弁２７、２８、及び、及び、これらの機器を接続する冷媒管３１〜３５を含む冷媒回路構成部品と、室外ファン３６及び室外ファン用モータ３７とを収容している。尚、図３には、冷媒回路構成部品として、圧縮機２１及び室外熱交換器２３のみを図示している。ユニットケーシング５１は、冷媒回路構成部品や室外ファン３６等の各種部品が載置される底フレーム５２と、送風機室側側板５３と、機械室側側板５４と、送風機室側前板５５と、機械室側前板５６と、天板５７と、据付脚５９、６０とを有している。
【００３５】
底フレーム５２は、ユニットケーシング５１の底面部分を構成する金属製の板状部材である。底フレーム５２は、主として、水平面に略平行な底フレーム平面部５２ａと、底フレーム平面部５２ａの前部から略垂直に立ち上がる底フレーム前方垂直部５２ｂと、底フレーム平面部５２ａの後部から略垂直に立ち上がる底フレーム後方垂直部５２ｃとを有している。また、底フレーム５２は、底フレーム平面部５２ａの左右の側部から略垂直に立ち上がる底フレーム側方垂直部５２ｄ、５２ｅを有している。このように、底フレーム５２の平面視における外周縁（ここでは、底フレーム平面部５２ａの外周縁）には、略四角環状に立ち上がった部分（ここでは、底フレーム垂直部５２ｂ〜５２ｅ）が一体に形成されている。また、底フレーム平面部５２ａには、複雑な凹凸形状が形成されているが、図２及び図３では図示を省略する（後述の図４、図６及び図７も同様）。
【００３６】
送風機室側側板５３は、ユニットケーシング５１の送風機室Ｓ１寄りの側面部分（ここでは、左側面部分）を構成する金属製の板状部材である。送風機室側側板５３は、その下部が底フレーム５２に固定されている。送風機室側側板５３には、室外ファン３６によってユニットケーシング５１の側面側からユニットケーシング５１内に室外空気を吸入するための側面ファン吸入口５３ａが形成されている。
【００３７】
機械室側側板５４は、ユニットケーシング５１の機械室Ｓ２寄りの側面部分（ここでは、右側面部分）の一部と、ユニットケーシング５１の機械室Ｓ２寄りの背面部分とを構成する金属製の板状部材である。機械室側側板５４は、その下部が底フレーム５２に固定されている。送風機室側側板５３の背面側の端部と機械室側側板５４の送風機室Ｓ１側の端部との間には、室外ファン３６によってユニットケーシング５１の背面側からユニットケーシング５１内に室外空気を吸入するためのされる背面ファン吸入口５３ｂが形成されている。
【００３８】
送風機室側前板５５は、ユニットケーシング５１の送風機室Ｓ１の前面部分を構成する金属製の板状部材である。送風機室側前板５５は、その下部が底フレーム５２に固定され、その左側面側の端部が送風機室側側板５３の前面側の端部に固定されている。送風機室側前板５５には、室外ファン３６によってユニットケーシング５１内に吸入された室外空気を外部に吹き出すためのファン吹出口５５ａが設けられている。送風機室側前板５５の前面側には、ファン吹出口５５ａを覆うファン吹出グリル５５ｂが設けられている。
【００３９】
機械室側前板５６は、ユニットケーシング５１の機械室Ｓ２の前面部分の一部と、ユニットケーシング５１の機械室Ｓ２の側面部分の一部とを構成する金属製の板状部材である。機械室側前板５６は、その送風機室Ｓ１側の端部が送風機室側前板５５の機械室Ｓ２側の端部に固定され、その背面側の端部が機械室側側板５４の前面側の端部に固定されている。
【００４０】
天板５７は、ユニットケーシング５１の天面部分を構成する金属製の板状部材である。天板５７は、送風機室側板５３や機械室側側板５４、送風機室側前板５５に固定されている。
【００４１】
仕切板５８は、底フレーム５２上に配置される上下方向に延びる金属製の板状部材である。仕切板５８は、ここでは、ユニットケーシング５１の内部を左右に分割することによって、左側面寄りの送風機室Ｓ１と、右側面寄りの機械室Ｓ２とを形成している。仕切板５８は、その下部が底フレーム５２に固定され、その前面側の端部が送風機室側前板５５に固定され、その背面側の端部が室外熱交換器２３の機械室Ｓ２寄りの側端部まで延びている。
【００４２】
据付脚５９、６０は、ユニットケーシング５１の前後方向に延びる金属製の板状部材である。据付脚５９、６０は、室外ユニット２の据付面に固定される部材である。ここでは、室外ユニット２は、２つの据付脚５９、６０を有しており、１つは、送風機室Ｓ１寄りに配置された送風機室側据付脚５９であり、もう１つは、機械室Ｓ２寄りに配置された機械室側据付脚６０である。
【００４３】
室外ファン３６は、複数の翼を有するプロペラファンであり、送風機室Ｓ１内において、室外熱交換器２３の前面側の位置に、ファン吹出口５５ａに面するように配置されている。室外ファン用モータ３７は、送風機室Ｓ１内において、室外ファン３６と室外熱交換器２３との前後方向間に配置されている。室外ファン用モータ３７は、底フレーム５２上に載置されたモータ支持台６１によって支持されている。そして、室外ファン３６は、室外ファン用モータ３７に軸支されている。
【００４４】
室外熱交換器２３は、略Ｌ字形状の熱交換器パネルであり、送風機室Ｓ１内において、ユニットケーシング５１の側面（ここでは、左側面）及び背面に沿うように底フレーム５２上に載置されている。
【００４５】
圧縮機２１は、ここでは、縦型円筒形状の密閉式圧縮機であり、機械室Ｓ２内において、底フレーム５２上に載置されている。
【００４６】
尚、ここでは図示を省略するが、四路切換弁２２や膨張弁２６等の機器も機械室Ｓ２内に配置されている。
【００４７】
（３）底フレームに据付脚を装着するための構造
上記のような基本構成を有する室外ユニットでは、従来から、ネジ止めやカシメ、溶接によってユニットケーシングの底フレームに据付脚を装着する構造が採用されている。
【００４８】
しかし、ネジ止めやカシメ、溶接だけで底フレームに据付脚を装着する構造では、固定箇所が多くなり工数がかかり、また、固定箇所を多くしなければ、室外ユニットの風荷重等に対する耐力が不十分になるおそれがある。
【００４９】
そこで、室外ユニット２では、以下に説明するように、底フレーム５２に据付脚５９、６０を装着するための構造として、ネジ止めやカシメ、溶接による固定箇所を削減又は削除するとともに、風荷重等に対する耐力を向上させることができる構造を採用している。
【００５０】
次に、図２〜図７を用いて、底フレーム５２に据付脚５９、６０を装着するための構造について説明する。ここで、図４は、据付脚５９、６０が装着された状態の底フレーム５２を示す斜視図である。図５は、据付脚５９、６０（据付脚本体７１、８１の底フレーム５２に向かって突出するように曲がった形状が解消された状態）を示す斜視図である。図６は、底フレーム５２に据付脚５９、６０を装着する様子（据付脚本体７１、８１の底フレーム５２に向かって突出するように曲がった形状が解消される前の状態）を示す側面断面図である。図７は、底フレーム５２に据付脚５９、６０を装着する様子（据付脚本体７１、８１の底フレーム５２に向かって突出するように曲がった形状が解消された後の状態）を示す側面断面図である。尚、以下の説明においても、「上」、「下」、「左」、「右」や「前面」、「側面」、「背面」、「天面」、「底面」等の方向や面を示す文言は、特にことわりのない限り、ファン吹出グリル５５ｂ側の面を前面とした場合における方向や面を意味する。
【００５１】
据付脚５９、６０は、主として、ユニットケーシング５１の前後方向に延びるように配置される据付脚本体７１、８１を有している。ここでは、据付脚５９、６０は、プレス加工等によって一体成形されている。
【００５２】
据付脚本体７１、８１は、主として、据付脚５９、６０が底フレーム５２に装着された状態において、底フレーム５２の前面寄りに配置される前脚部７２、８２と、底フレーム５２の背面寄りに配置される後脚部７３、８３と、前脚部７２、８２と後脚部７３、８３との前後方向間を結ぶ脚接続部７４、８４とを有している。
【００５３】
前脚部７２、８２は、室外ユニット２の据付面に載置される部分であり、その前端部分に据付面に固定するためのネジ等を挿通させるための据付ネジ挿通部７２ａ、８２ａが形成されている。ここで、据付ネジ挿通部７２ａ、８２ａは、孔形状であるが、孔形状ではなく切り欠き形状であってもよい。
【００５４】
後脚部７３、８３は、室外ユニット２の据付面に載置される部分であり、その後端部分に据付面に固定するためのネジ等を挿通させるための据付ネジ挿通部７３ａ、８３ａが形成されている。ここで、据付ネジ挿通部７３ａ、８３ａは、孔形状であるが、孔形状ではなく切り欠き形状であってもよい。
【００５５】
脚接続部７４、８４は、据付脚５９、６０が底フレーム５２に装着された状態において、底フレーム５２の底フレーム平面部５２ａの下面に沿って前後方向に延びる平板形状の部分である、尚、脚接続部７４、８４は、平板形状ではなく棒形状であってもよい。そして、前脚部７２、８２は、脚接続部７４、８４の前端側に一体に形成され、後脚部７３、８３は、脚接続部７４、８４の後端側に一体に形成されている。
【００５６】
据付脚本体７１、８１の前部である前脚部７２、８２には、主として、前脚部７２、８２から略垂直に立ち上がる脚前方垂直部７２ｂ、８２ｂと、脚前方垂直部７２ｂ、８２ｂから後方に向かって延びる脚前方上被部７２ｃ、８２ｃとが形成されている。具体的には、脚前方垂直部７２ｂ、８２ｂは、据付脚５９、６０が底フレーム５２に装着された状態において、底フレーム前方垂直部５２ｂの前面に沿って略垂直に立ち上がる部分である。そして、脚前方垂直部７２ｂ、８２ｂは、据付脚５９、６０が底フレーム５２に装着された状態において、底フレーム前方垂直部５２ｂの上端部分まで達している。また、脚前方上被部７２ｃ、８２ｃは、据付脚５９、６０が底フレーム５２に装着された状態において、底フレーム前方垂直部５２ｂの上端部分に上から被さるまで後方に延びている。ここで、脚前方垂直部７２ｂ、８２ｂ及び脚前方上被部７２ｃ、８２ｃは、前脚部７２、８２を切り起こし加工することによって平板形状に形成されているが、この形状に限定されるものではない。
【００５７】
据付脚本体７１、８１の後部である後脚部７３、８３には、主として、後脚部７３、８３から略垂直に立ち上がる脚後方垂直部７３ｂ、８３ｂと、脚後方垂直部７３ｂ、８３ｂから前方に向かって延びる脚後方上被部７３ｃ、８３ｃとが形成されている。具体的には、脚後方垂直部７３ｂ、８３ｂは、据付脚５９、６０が底フレーム５２に装着された状態において、底フレーム後方垂直部５２ｃの後面に沿って略垂直に立ち上がる部分である。そして、脚後方垂直部７３ｂ、８３ｂは、据付脚５９、６０が底フレーム５２に装着された状態において、底フレーム後方垂直部５２ｃの上端部分まで達している。また、脚後方上被部７３ｃ、８３ｃは、据付脚５９、６０が底フレーム５２に装着された状態において、底フレーム後方垂直部５２ｃの上端部分に上から被さるまで前方に延びている。ここで、脚後方垂直部７３ｂ、８３ｂ及び脚後方上被部７３ｃ、８３ｃは、後脚部７３、８３を切り起こし加工することによって平板形状に形成されているが、この形状に限定されるものではない。
【００５８】
そして、据付脚５９、６０は、図６に示すように、底フレーム５２に装着される前の状態において、据付脚本体７１、８１の前後方向の中央付近が底フレーム５２に向かって突出するように曲がった形状になるように成形されている。ここでは、据付脚本体７１、８１の前後方向の中央付近の部分である脚接続部７４、８４が、底フレーム５２に装着される前の状態において、底フレーム５２に向かって突出するように曲がった形状になるように成形されている。
【００５９】
具体的には、据付脚本体７１、８１は、脚前方上被部７２ｃ、８２ｃの後端部と脚後方上被部７３ｃ、８３ｃの前端部との前後方向間の間隔Ｌ２が据付脚５９、６０の装着位置における底フレーム５２の前後方向幅Ｌ１以上になるまで曲げられている。すなわち、据付脚５９、６０は、底フレーム５２に装着される前の状態において、脚前方上被部７２ｃ、８２ｃの後端部と脚後方上被部７３ｃ、８３ｃの前端部との前後方向間の間隔Ｌ２が据付脚５９、６０の装着位置における底フレーム５２の前後方向幅Ｌ１以上になるまで大きくなり、底フレーム５２を前後方向間に挟むように曲がった形状になっている。尚、ここでは、底フレーム前方垂直部５２ｂの脚前方垂直部７２ｂ、８２ｂが近接する部分が、底フレーム前方垂直部５２ｂの脚前方垂直部７２ｂ、８２ｂが近接する部分の左右方向両側の部分よりも後方に凹んだ脚前方位置決め部５２ｆとなっている。また、底フレーム後方垂直部５２ｃの脚後方垂直部７３ｂ、８３ｂが近接する部分が、底フレーム後方垂直部５２ｃの脚後方垂直部７３ｂ、８３ｂが近接する部分の左右方向両側の部分よりも前方に凹んでいる脚後方位置決め部５２ｇとなっている。このため、ここでは、据付脚５９、６０の装着位置における底フレーム５２の前後方向幅Ｌ１とは、底フレーム５２の前後方向幅のうち脚前方位置決め部５２ｆ及び脚後方位置決め部５２ｇが形成された左右方向位置における前後方向幅を意味している。
【００６０】
また、ここでは、据付脚５９、６０が底フレーム５２に装着される前で、かつ、据付脚５９、６０の上に底フレーム５２を載置した状態において、脚前方上被部７２ｃ、８２ｃ及び脚後方上被部７３ｃ、８３ｃが底フレーム５２と重なる上下方向位置になるように曲げられている。すなわち、据付脚５９、６０は、据付脚５９、６０の上に底フレーム５２を載置すると、脚接続部７４、８４の中央付近が底フレーム５２の底フレーム平面部５２ａの下面に接触するが、この状態においても、脚前方上被部７２ｃ、８２ｃ及び脚後方上被部７３ｃ、８３ｃが底フレーム５２と上下方向に重なるように曲がった形状になっている。
【００６１】
そして、据付脚５９、６０は、図６及び図７に示すように、据付脚５９、６０に荷重を作用させて据付脚本体７１、８１の底フレーム５２に向かって突出するように曲がった形状を解消することによって、底フレーム前方垂直部５２ｂの前方に脚前方垂直部７２ｂ、８２ｂを近接させるとともに脚前方上被部７２ｃ、８２ｃを上から被せ、かつ、底フレーム後方垂直部５２ｃに脚後方垂直部７３ｂ、８３ｂを近接させるとともに脚後方上被部７３ｃ、８３ｃを上から被せて、底フレーム５２に係止されている。
【００６２】
具体的には、まず、図６に示すように、据付脚５９、６０の上に底フレーム５２を載置した状態にする。ここでは、据付脚５９、６０の脚前方垂直部７２ｂ、８２ｂ及び脚後方垂直部７３ｂ、８３ｂが脚前方位置決め部５２ｆ及び脚後方垂直部７３ｂに対応するように配置する。そして、図７に示すように、据付脚５９、６０に荷重を作用させる。ここでは、底フレーム５２の所定位置に部品（例えば、圧縮機２１や室外熱交換器２３等）を載置することによって、底フレーム平面部５２ａを介して据付脚５９、６０に荷重を作用させる。これにより、据付脚本体７１、８１の底フレーム５２に向かって突出するように曲がった形状が解消される。すなわち、脚接続部７４、８４が底フレーム平面部５２ａの下面に沿って真っ直ぐの状態になる。このとき、脚前方垂直部７２ｂ、８２ｂが底フレーム前方垂直部５２ｂに対して上方に移動するとともに、脚後方垂直部７３ｂ、８３ｂが底フレーム後方垂直部５２ｃに対して上方に移動する。そして、底フレーム５２の前面側においては、脚前方上被部７２ｃ、８２ｃが、底フレーム前方垂直部５２ｂの上端まで達して、脚前方垂直部７２ｂ、８２ｂが底フレーム前方垂直部５２ｂの前方に沿った状態になるとともに、底フレーム前方垂直部５２ｂの上端よりも後方に突出した状態になる。これにより、脚前方垂直部７２ｂ、８２ｂが底フレーム前方垂直部５２ｂの前方に近接するとともに、脚前方上被部７２ｃ、８２ｃが底フレーム５２の上から被った状態で係止されることになる。また、底フレーム５２の背面側においては、脚後方上被部７３ｃ、８３ｃが、底フレーム後方垂直部５２ｃの上端まで達して、脚後方垂直部７３ｂ、８３ｂが底フレーム後方垂直部５２ｃの後方に沿った状態になるとともに、底フレーム後方垂直部５２ｃの上端よりも前方に突出した状態になる。これにより、脚後方垂直部７３ｂ、８３ｂが底フレーム後方垂直部５２ｃの後方に近接するとともに、脚後方上被部７３ｃ、８３ｃが底フレーム５２の上から被った状態で係止されることになる。このようにして、据付脚５９、６０が底フレーム５２に装着される。
【００６３】
（４）室外ユニットの特徴
本実施形態の空気調和装置１の室外ユニット２には、底フレーム５２に据付脚５９、６０を装着するための構造に関して、以下のような特徴がある。
【００６４】
＜Ａ＞
ここでは、上記のように、据付脚５９、６０に荷重を作用させて据付脚本体７１、８１の底フレーム５２に向かって突出するように曲がった形状を解消することによって、据付脚５９、６０を底フレーム５２に装着することができる。しかも、据付脚５９、６０は、脚前方上被部７２ｃ、８２ｃ及び脚後方上被部７３ｃ、８３ｃが底フレーム５２の上から被せた状態で装着されるため、底フレーム５２への固定を強固なものにすることができる。
【００６５】
これにより、ここでは、据付脚５９、６０を底フレーム５２に装着する際のネジ止めやカシメ、溶接による固定箇所を削除するとともに、室外ユニット２の風荷重等に対する耐力を向上させることができる。
【００６６】
尚、ここでは、据付脚５９、６０の底フレーム５２への装着を上記の係止構造のみによって行っているが、ここでは図示しないが、上記の係止構造とともにネジ止めやカシメ、溶接による固定構造を併用してもよい。この場合には、据付脚５９、６０を底フレーム５２に装着する際のネジ止めやカシメ、溶接による固定箇所を削減するとともに、室外ユニット２の風荷重等に対する耐力を向上させることができる。
【００６７】
＜Ｂ＞
また、ここでは、上記のように、底フレーム５２に部品を載置することによって、据付脚本体７１、８１の底フレーム５２に向かって突出するように曲がった形状を解消して、据付脚５９、６０を底フレーム５２に装着することができる。
【００６８】
これにより、ここでは、室外ユニット２の組み立て時の底フレーム５２に部品を載置する作業を利用して、据付脚５９、６０を底フレーム５２に装着することができる。
【００６９】
尚、ここでは、室外ユニット２の組み立て時の底フレーム５２に部品を載置する作業を利用して、据付脚５９、６０に荷重を作用させるようにしているが、これに限定されるものではない。例えば、組み立て作業者が底フレーム５２を上から押圧する等によって据付脚５９、６０に荷重を作用させるようにしてもよい。但し、室外ユニット２の組み立て作業性を考慮すると、底フレーム５２に部品を載置する作業を利用して据付脚５９、６０に荷重を作用させるほうが好ましい。
【００７０】
＜Ｃ＞
また、ここでは、上記のように、底フレーム５２に装着される前の状態において、据付脚本体７１、８１を、脚前方上被部７２ｃ、８２ｃの後端部と脚後方上被部７３ｃ、８３ｃの前端部との前後方向間の間隔Ｌ２が据付脚５９、６０の装着位置における底フレーム５２の前後方向幅Ｌ１以上になるまで曲げるようにしている。しかも、据付脚５９、６０の上に底フレーム５２を載置した状態において、脚前方上被部７２ｃ、８２ｃ及び脚後方上被部７３ｃ、８３ｃが底フレーム５２と重なる上下方向位置になるように曲げるようにしている。
【００７１】
これにより、ここでは、据付脚５９、６０が底フレーム５２に装着される前で、かつ、据付脚５９、６０の上に底フレーム５２を載置した状態において、据付脚５９、６０によって底フレーム５２を前後方向間に挟んだ状態で安定させることができる。
【００７２】
＜Ｄ＞
また、ここでは、上記のように、底フレーム前方及び後方垂直部５２ｂ、５２ｃに形成された凹み（具体的には、脚前方位置決め部５２ｆ及び脚後方位置決め部５２ｇ）を利用して、据付脚５９、６０の装着位置を位置決めすることができる。
【００７３】
これにより、ここでは、据付脚５９、６０を底フレーム５２に装着する際の作業性を向上させることができる。また、このような凹みからなる脚前方位置決め部５２ｆ及び脚後方位置決め部５２ｇを採用することによって、据付脚５９、６０を据付面に据付ネジ挿通部７３ａ、８３ａの位置でネジ止め等によって固定する際の作業スペースの確保にも寄与することができる。
【００７４】
尚、ここでは、底フレーム前方及び後方垂直部５２ｂ、５２ｃに凹み（脚前方位置決め部５２ｆ及び脚後方位置決め部５２ｇ）を形成しているが、凹みがなくてもよい。但し、据付脚５９、６０が底フレーム５２に装着される前で、かつ、据付脚５９、６０の上に底フレーム５２を載置した状態における安定性や据付脚５９、６０の据付面への固定作業性を考慮すると、底フレーム前方及び後方垂直部５２ｂ、５２ｃに凹みを形成するほうが好ましい。
【産業上の利用可能性】
【００７５】
本発明は、ケーシングの底フレームに据付脚が装着された構造を有する空気調和装置の室外ユニットに対して、広く適用可能である。
【符号の説明】
【００７６】
２              室外ユニット
５１            ユニットケーシング
５２            底フレーム
５２ａ          底フレーム平面部
５２ｂ          底フレーム前方垂直部
５２ｃ          底フレーム後方垂直部
５９、６０      据付脚
７１、８１      据付脚本体
７２ｂ、８２ｂ  脚前方垂直部
７２ｃ、８２ｃ  脚前方上被部
７３ｂ、８３ｂ  脚後方垂直部
７３ｃ、８３ｃ  脚後方上被部
【先行技術文献】
【特許文献】
【００７７】
【特許文献１】特開２０１０−７１５１７号公報
【特許文献２】特開平１１−３３７１１７号公報
【特許文献３】特開２００４−１４４３１２号公報
【図１】
2014219166.tif 000003
【図２】
2014219166.tif 000004
【図３】
2014219166.tif 000005
【図４】
2014219166.tif 000006
【図５】
2014219166.tif 000007
【図６】
2014219166.tif 000008
【図７】
2014219166.tif 000009